(57)【特許請求の範囲】
【請求項１】
流体管の分流孔に接続されている下胴とこれに対して脱着自在に接続されている分流口付きの上胴が備えられている分流栓を、前記流体管内の流体の流れを維持したまま流体管から撤去した後、前記分流孔を密封状態で閉塞処理する工法であって、以下の１）〜３）のステップを備えていることを特徴とする分流栓撤去工法。
１）前記分流栓の下胴側の流路を上胴側に常設されている止流コマで密封状態に閉塞し、前記分流栓における下胴以外の構成部材を撤去したのち、前記流体管に、前記分流栓の下胴を収納する状態でそれの周りを囲繞可能な保護筒部を備えた保護部材を、少なくとも分流孔周りにおいて流体管の外周面との間を密封した状態で外装固定する。
２）前記保護部材の保護筒部に、作業用開閉弁及び前記分流栓の下胴を収納可能な作業用ハウジングを密封状態で連結して、この作業用ハウジング内において前記分流栓の下胴に係合した取外し治具により、前記流体管の分流孔から分流栓の下胴を取り外して作業用ハウジング内に取り込み、前記作業用開閉弁を閉弁したのち、分流栓の下胴及び取外し治具を備えた作業用ハウジングを撤去する。
３）前記作業用開閉弁に密封状態で連結される作業用ハウジングに対して昇降可能な装着治具に、前記保護部材の保護筒部に対して嵌合状態で固定可能で、且つ前記保護筒部の内周面との間を密封するシール材と、流体管の分流孔の内周面を覆う状態で嵌合装着される防食閉栓部とを備えた防食キャップを取付け、開弁された作業用開閉弁を通して作業用ハウジング内の防食キャップを前記保護部材の保護筒部に嵌合固定し、前記保護筒部の内周面と防食キャップの外周面との間を密封するとともに、流体管の分流孔の内周面を防食閉栓部で被覆したのち、前記保護部材から作業用開閉弁及び作業用ハウジングを撤去する。
【請求項２】
前記作業用開閉弁及び作業用ハウジングの撤去後に、前記保護部材の保護筒部と防食キャップとが緊締手段により抜止め固定されている請求項１記載の分流栓撤去工法。
【請求項３】
前記保護部材の保護筒部に対して防食キャップを固定する手段が、前記保護筒部の内周面に形成された雌ネジ部とこれに螺合可能な状態で防食キャップの外周面に形成された雄ネジ部とから構成されている請求項１又は２記載の分流栓撤去工法。
【請求項４】
前記防食閉栓部が、前記防食キャップの底面に突設された弾性栓体から構成されている請求項１〜３のいずれか１項に記載の分流栓撤去工法。
【請求項５】
前記保護部材が、流体管の周方向に沿って脱着自在に固定連結される複数の分割保護体からなり、そのうちの一つに、前記分流栓の下胴を収納する状態でそれの周りを囲繞可能な保護筒部が一体形成されている請求項１〜４のいずれか１項に記載の分流栓撤去工法。
【発明の詳細な説明】
【技術分野】
【０００１】
本発明は、水道管等の流体管の分流孔に接続されている下胴とこれに対して脱着自在に接続されている分流口付きの上胴が備えられている分流栓を、前記流体管内の流体の流れを維持したまま流体管から撤去した後、前記分流孔を密封状態で閉塞処理する工法に関する。
【背景技術】
【０００２】
従来の分流栓撤去工法では、例えば、下記の特許文献１に示すように、下記（Ａ）〜（Ｄ）のステップで施行していた。
（Ａ）前記流体管である水道管の分水孔（分流孔の一例）に螺合接続されている分水栓（分流栓の一例）の上胴のうち、下胴の流路を閉塞可能な状態で上胴側に常設されている止水コマ（止流コマの一例）の装着口部に、第１作業用開閉弁を密封状態で連結し、この第１作業用開閉弁に、前記止水コマに係合可能なコマ取外し治具を備えた第１作業用ハウジングを密封状態で連結して、この第１作業用ハウジング内において前記止水コマに係合したコマ取外し治具により、前記上胴の装着口部から止水コマを取り外して第１作業用ハウジング内に取り込み、前記第１作業用開閉弁を閉弁したのち、止水コマ及びコマ取外し治具を備えた第１作業用ハウジングを撤去する。
【０００３】
（Ｂ）前記第１作業用開閉弁に密封状態で連結される第２作業用ハウジングに、分水栓の下胴の流路を閉塞可能な状態にまで拡径変形可能な弾性閉塞体を備えた閉栓コマが装着されているコマ装着治具を昇降ならびに回転自在に取付け、開弁操作された第１作業用開閉弁を通して閉栓コマを上胴の装着口部から下胴の流路内に挿入し、該閉栓コマの弾性閉塞体を拡径変形操作して下胴側の流路を閉塞したのち、第２作業用ハウジングと第１作業用開閉弁及び分流栓の上胴を撤去する。
【０００４】
（Ｃ）残置されている分流栓の下胴に引抜きプラグを外嵌状態で固定し、前記引抜きプラグの上半部が突出する状態で分水栓の下胴周りを密封囲繞可能な作業用サドルを、流体管の外周面との間を密封した状態で外装固定し、この作業用サドルの開口部に第２作業用開閉弁を密封状態で固定し、この第２作業用開閉弁に、前記引抜きプラグに係合可能なプラグ取外し治具を備えた第３作業用ハウジングを密封状態で連結して、この第３作業用ハウジング内において前記引抜きプラグに係合したプラグ取外し治具により、前記水道管の分水孔から分水栓の下胴を引抜きプラグと共に取り外して第３作業用ハウジング内に取り込み、前記第２作業用開閉弁を閉弁したのち、第３作業用ハウジングから下胴と引抜きプラグ及びプラグ取外し治具を撤去する。
【０００５】
（Ｄ）前記第３作業用ハウジングに、前記水道管の分水孔に螺合接続可能なテーパネジを備えた止水プラグが装着されているプラグ装着治具を昇降ならびに回転自在に取付け、開弁操作された第２作業用開閉弁を通して止水プラグを水道管の分水孔に螺合接続し、プラグ装着治具を備えた第３作業用ハウジングと第２作業用開閉弁及びサドルを撤去したのち、前記水道管に、前記止水プラグを収納する状態でそれの周りを囲繞可能な保護筒部を備えた保護用サドルを、少なくとも分水孔周りにおいて水道管の外周面との間を密封した状態で外装固定し、この保護用サドルの保護筒部に、止水プラグとの間に空間を形成した状態でキャップを取付ける。
【０００６】
【特許文献１】特開２００７−２４１７８号公報
【発明の開示】
【発明が解決しようとする課題】
【０００７】
従来の分流栓撤去工法では、分水栓の上胴から止水コマを取り出す第１工程、分水栓の下胴の流路を閉栓コマで遮断する第２工程、閉栓コマが装着されている分水栓の下胴を水道管の分水孔から取り外す第３工程、水道管の分水孔を止水プラグで止水する第４工程、止水プラグを保護用サドルとキャップで保護する第５工程が必要で、しかも、第１工程〜第４工程においては、作業用開閉弁と作業用ハウジングとで密閉された作業空間を形成して、それぞれ専用の治具で操作しなければならないため、作業工程数及び工事用部材点数が多くなり、工期の増大と工事費の高騰化を招来する問題があった。
【０００８】
本発明は、上述の実状に鑑みて為されたものであって、その主たる課題は、合理的な改造により、作業工程数及び工事用部材点数の大幅な削減によって工期の短縮化と工事費の低廉化を図ると同時に、分流孔の内周面の腐蝕防止とシール性能の向上を達成することのできる分流栓撤去工法を提供する点にある。
【課題を解決するための手段】
【０００９】
本発明による第１の特徴構成は、流体管の分流孔に接続されている下胴とこれに対して脱着自在に接続されている分流口付きの上胴が備えられている分流栓を、前記流体管内の流体の流れを維持したまま流体管から撤去した後、前記分流孔を密封状態で閉塞処理する工法であって、以下の１）〜３）のステップを備えていることを特徴とする。
１）前記分流栓の下胴側の流路を上胴側に常設されている止流コマで密封状態に閉塞し、前記分流栓における下胴以外の構成部材を撤去したのち、前記流体管に、前記分流栓の下胴を収納する状態でそれの周りを囲繞可能な保護筒部を備えた保護部材を、少なくとも分流孔周りにおいて流体管の外周面との間を密封した状態で外装固定する。
２）前記保護部材の保護筒部に、作業用開閉弁及び前記分流栓の下胴を収納可能な作業用ハウジングを密封状態で連結して、この作業用ハウジング内において前記分流栓の下胴に係合した取外し治具により、前記流体管の分流孔から分流栓の下胴を取り外して作業用ハウジング内に取り込み、前記作業用開閉弁を閉弁したのち、分流栓の下胴及び取外し治具を備えた作業用ハウジングを撤去する。
３）前記作業用開閉弁に密封状態で連結される作業用ハウジングに対して昇降可能な装着治具に、前記保護部材の保護筒部に対して嵌合状態で固定可能で、且つ前記保護筒部の内周面との間を密封するシール材と、流体管の分流孔の内周面を覆う状態で嵌合装着される防食閉栓部とを備えた防食キャップを取付け、開弁された作業用開閉弁を通して作業用ハウジング内の防食キャップを前記保護部材の保護筒部に嵌合固定し、前記保護筒部の内周面と防食キャップの外周面との間を密封するとともに、流体管の分流孔の内周面を防食閉栓部で被覆したのち、前記保護部材から作業用開閉弁及び作業用ハウジングを撤去する。
【００１０】
上記特徴構成によれば、前記分流栓の上胴側に常設されている止流コマをそのまま利用して下胴側の流路を密封状態に閉塞する工程と、分流栓が取り外された少なくとも流体管の分流孔周りを保護する機能を備えた保護部材を、少なくとも分流孔周りにおいて流体管の外周面との間を密封した状態で外装固定する工程と、分流栓の下胴に係合した取外し治具により流体管の分流孔から分流栓の下胴を取り外す工程と、前記保護部材の保護筒部に、これの内周面との間を密封するシール材及び流体管の分流孔の内周面を覆う状態で嵌合装着される防食閉栓部を備えた防食キャップを取付ける工程とからなり、従来工法に比して作業工程数を大幅に削減することができる。
しかも、前記保護部材を、流体管の分流孔から分流栓の下胴を取り外すための作業用サドルとして兼用使用するので、従来工法に比して作業工程数と工事用部材点数の削減を図ることができる。
【００１１】
更に、前記保護筒部の内周面と防食キャップの外周面の間を密封するシール材よりも上流側おいて、前記防食キャップの防食閉栓部にて流体管の分流孔の内周面を覆うことにより、分流孔の内周面の腐蝕を抑制することができるとともに、この防食閉栓部による補助的なシール機能によって全体としてのシール性能の向上を図ることができる。
【００１２】
従って、分流栓の上胴側に常設されている止流コマ、及び、分流栓が取り外された後において少なくとも流体管の分流孔周りを保護するために必要となる保護部材を利用した上述の合理的な改造により、作業工程数及び工事用部材点数の大幅な削減によって工期の短縮化と工事費の低廉化を図ると同時に、分流孔の内周面の腐蝕防止とシール性能の向上を達成することができる。
【００１３】
本発明による第２の特徴構成は、前記作業用開閉弁及び作業用ハウジングの撤去後に、前記保護部材の保護筒部と防食キャップとが緊締手段により抜止め固定されている点にある。
【００１４】
上記特徴構成によれば、前記防食キャップと保護部材の保護筒部とによる嵌合固定機能と、前記緊締手段による保護部材の保護筒部と防食キャップとの抜止め固定機能により、保護部材の保護筒部に対して防食キャップを強固に固定することができる。
【００１５】
本発明による第３の特徴構成は、前記保護部材の保護筒部に対して防食キャップを固定する手段が、前記保護筒部の内周面に形成された雌ネジ部とこれに螺合可能な状態で防食キャップの外周面に形成された雄ネジ部とから構成されている点にある。
【００１６】
上記特徴構成によれば、前記作業用ハウジング内の密封された空間において、保護筒部の内周面に形成された雌ネジ部とキャップの外周面に形成された雄ネジ部との簡単な螺合操作で確実に固定することができる。
【００１７】
本発明による第４の特徴構成は、前記防食閉栓部が、前記防食キャップの底面に突設された弾性栓体から構成されている点にある。
【００１８】
上記特徴構成によれば、流体管の分流孔の軸芯と防食キャップの防食キャップの軸芯とが少し水平方向にずれていたり、或いは少なくとも一方の軸が少し傾いている場合であっても、前記防食キャップの弾性変形を利用して流体管の分流孔の内周面を確実に被覆することができる。
【００１９】
本発明による第５の特徴構成は、前記保護部材が、流体管の周方向に沿って脱着自在に固定連結される複数の分割保護体からなり、そのうちの一つに、前記分流栓の下胴を収納する状態でそれの周りを囲繞可能な保護筒部が一体形成されている点にある。
【００２０】
上記特徴構成によれば、前記分流栓が取り外された流体管の分流孔周りを、分流栓の下胴の取外し当初から流体管の周方向に沿って固定連結されている複数の分割保護体により強固に補強しながら保護することができる。
【発明を実施するための最良の形態】
【００２１】
〔第１実施形態〕
図１〜図１３は、流体管の一例である水道管１の途中に貫通形成された分水孔（分流孔の一例）２に螺合接続されている不要な甲型分水栓（分流栓の一例）Ａを、前記水道管１内の上水（流体）の流れを維持したまま水道管１から撤去した後、前記分水孔２を水密（密封）状態で閉塞処理する工法を示す。
【００２２】
この分流栓撤去工法に用いられる前記甲型分水栓Ａは、図１〜図３に示すように、水道管１の分水孔２の内周面に形成された雌ネジ部１ａに対して水密状態で螺合接続可能な第１雄ネジ部３ａを備えた下胴３と、この下胴３の外周面の上側部に形成された第２雄ネジ部３ｂに対して水密状態で螺合接続可能な第１雌ネジ部４ａを備えた上胴４と、前記下胴３内の流路を水密状態で閉塞（遮断）可能な状態で上胴４側に常設される止水コマ（止流コマの一例）５と、前記上胴４の上端に開口形成された装着口４ｃから止水コマ５が抜出し移動することを防止するべく、前記上胴４の外周面の上側部に形成された第１雄ネジ部４ｂに対して水密状態で螺合接続されるキャップ６を主要構成として備えている。
【００２３】
前記上胴４の上下中間部には、ナット７の締め込み操作によって分岐管（流体管）８を水密状態で接続するための第２雄ネジ部４ｄと分水口（分流口の一例）４ｆを備えた接続管部４Ａが一体的に突設されているとともに、前記上胴４の内周面及び下胴３の内周面には、前記接続管部４Ａの基端側開口位置を通過する状態で止水コマ５を螺進させるための第２雌ネジ部４ｅ及び雌ネジ部３ｃが形成され、更に、前記下胴３の外周面の上下中間部には、該下胴３を水道管１の分水孔２から取り外す取外し治具Ｃが装着される角筒状の回転受け部３ｄが形成されている。
【００２４】
前記分水栓Ａの下胴３を収納する状態でそれの周りを囲繞可能な保護筒部１０を備えた保護部材Ｂは、図５〜図７、図９〜図１３に示すように、水道管１に対して管径方向の外方から外装自在な管周方向で複数に分割（当該実施形態では三分割）された部分円筒状の分割保護体１１〜１３から構成され、各分割保護体１１〜１３の管周方向両端部には、水道管１に外装された隣接分割保護体１１〜１３同士を締結手段の一例である複数本のボルト１４・ナット１５で脱着自在に固定連結するための連結部１１Ａ〜１３Ａが一体的に突出形成されているとともに、各分割保護体１１〜１３の内周面１１ａ〜１３ａに形成された環状のシール保持溝１１ｂ〜１３ｂには、水道管１の外周面１ｂとの間を密封する合成ゴム製（例えば、スチレンブタジエンゴム等）のシール材１６が装着されている。
【００２５】
前記水道管１に外装された各分割保護体１１〜１３の連結部１１Ａ〜１３Ａのうち、周方向で隣接する連結部１１Ａ〜１３Ａ同士をボルト１４・ナット１５で締付け固定したとき、各分割保護体１１〜１３のシール材１６が水道管１の外周面１ｂに水密状態にまで圧接され、そのうち、前記保護筒部１０を備えた分割保護体１１側のシール材１６により、前記分水孔２周りにおいて水道管１の外周面１ｂとの間が密封される。
【００２６】
前記保護筒部１０は、前記分水栓Ａの下胴３の高さよりも大きな深さで、且つ、該下胴３の回転受け部３ｄに外嵌装着される取外し治具Ｃのコの字状の回転操作部２０の外径よりも大きな内径に構成されているとともに、前記保護筒部１０の外周面の先端部には、作業用開閉弁Ｄの弁ケース２５をボルト２７で水密状態に締付け固定するための連結鍔部１０Ａが突出形成され、更に、前記保護筒部１０の内周面には、該保護筒部１０の内周面１０ａとの間を密封するシール材の一例であるＯリング３０と水道管１の分水孔２の内周面を覆う状態で嵌合装着される防食閉栓部の一例であるゴム製の弾性栓体３１とを備えた防食キャップＥを嵌合状態で螺合装着する雌ネジ部１０ｂが形成されている。
【００２７】
前記取外し治具Ｃは、図４〜図６に示すように、前記作業用開閉弁Ｄの弁ケース２５に水密状態で固定連結される第１作業用ハウジング１７の天井壁部１７ａに対して摺動並びに回転操作自在に貫通保持される操作軸２１の下端に、前記下胴３の回転受け部３ｄに回り止め状態で外装される回転操作部２０が一体形成されているとともに、前記回転操作部２０には、下胴３の回転受け部３ｄに対して水平方向から締付け固定するボルト２２が螺合されている。
【００２８】
前記作業用開閉弁Ｄは、図５〜図７、図９、図１０に示すように、前記弁ケース２５の下部に、保護筒部１０の連結鍔部１０Ａに対して上方から外嵌装着される第１連結凹部２６が形成され、この第１連結凹部２６の複数箇所には、前記保護筒部１０の連結鍔部１０Ａの下面に対して水平方向から係合することにより、弁ケース２５を連結鍔部１０Ａ側に引寄せ固定するテーパ面を備えたボルト２７が螺合されているとともに、前記弁ケース２５の上部には、取外し治具Ｃ用の第１作業用ハウジング１７と前記防食キャップＥを取付けてある装着治具Ｆの操作軸３６を貫通保持する第２作業用ハウジング１８とを選択的に水密状態で装着保持する第２連結凹部２８が形成され、この第２連結凹部２８には、第１作業用ハウジング１７の下端部に形成された連結鍔部１７Ａ又は第２作業用ハウジング１８の下端部に形成された連結鍔部１８Ａの上面に対して水平方向から係合することにより、第１作業用ハウジング１７又は第２作業用ハウジング１８を第２連結凹部２８側に引寄せ固定するテーパ面を備えたボルト２９が螺合されている。
【００２９】
また、前記弁ケース２５には、流路を遮断する弁体２３と、この弁体２３を図外のギア機構を介して開閉作動させる弁操作軸２４が設けられている。
【００３０】
前記防食キャップＥは、図８〜図１３に示すように、前記保護部材Ｂの保護筒部１０に内嵌可能な中空状のキャップ本体３２の底面に、前記弾性栓体３１の凹部に嵌合状態で接着保持するための凸部３２Ａが一体形成され、前記キャップ本体３２の外周面には、前記Ｏリング３０を装着するための周溝３２ａと、前記保護筒部１０の雌ネジ部１０ｂと螺合自在な雄ネジ部３２ｂと、前記保護筒部１０の先端に当接する鍔部３２Ｂが形成されているとともに、前記キャップ本体３２の上端部の円周方向二個所から直径方向に沿って延出されたアーム部３２Ｃには、前記装着治具Ｆの操作軸３６の下端部に一体形成された角筒状の回転操作部３７が相対回転不能な状態で外嵌する回転受け部３２Ｄが一体形成されている。
【００３１】
前記防食キャップＥの弾性栓体３１における先端での外径が、水道管１の分水孔２の内径よりも少し小径に形成されているとともに、前記弾性栓体３１の基端側での外径が、水道管１の分水孔２の内径よりも少し大に形成され、前記保護部材Ｂの保護筒部１０に防食キャップＥが螺合固定されたとき、前記弾性栓体３１が分水孔２内の所定位置に少し圧縮状態で挿入され、分水孔２の内周面に形成された雌ネジ部１ａ全域を水密状態で被覆するように構成されている。
【００３２】
前記装着治具Ｆの回転操作部３７には、これと操作軸３６との嵌合連結部を固定連結する第１固定ネジ３８と、前記回転受け部３２Ｄの下部段差面３２ｄに対して水平方向から係合することにより、回転操作部３７をキャップ本体３２のアーム部３２Ｃ側に引寄せ固定するテーパ面を備えた第２固定ネジ３９が螺合されている。
【００３３】
前記第１作業用ハウジング１７の上部には、水道管１の分水孔２から分水栓Ａの下胴３が取り外されたことを知るための開閉弁４１付きの排水管４２が接続されているとともに、前記第２作業用ハウジング１８の上部にも、保護部材Ｂの保護筒部１０の開口が防食キャップＥで密封されたことを知るための開閉弁４３付きの排水管４４が接続されている。
尚、前記第１作業用ハウジング１７と第２作業用ハウジング１８は同一構造にして兼用化が図られている。
【００３４】
また、前記作業用開閉弁Ｄ及び第２作業用ハウジング１８の撤去後に、前記保護部材Ｂの保護筒部１０と防食キャップＥとを抜止め固定するが緊締手段Ｇは、図１２、図１３に示すように、前記キャップ本体３２の上面周縁部に当て付け可能な環状押え体４６の周方向４箇所に、前記保護部材Ｂの保護筒部１０の連結鍔部１０Ａの外側を通して下方に延出される取付け片４７が一体形成され、各取付け片４７には、前記連結鍔部１０Ａの下面に対して水平方向から係合することにより、防食キャップＥの鍔部３２Ｂを前記保護筒部１０の先端に側に引寄せ固定するテーパ面を備えた固定ネジ４８が螺合されている。
【００３５】
次に、上述の如く構成された各種資材を用いての分流栓撤去工法について説明する。
１）図１に示す甲型分水栓Ａでは、上胴４内の流路のうち、前記接続管部４Ａの基端側開口位置よりも装着口４ｃ側に後退した待機位置に止水コマ５が常設されているため、水道管１の分水孔２から流出した上水は、下胴３内の流路→上胴４内の流路→分水口４ｆを備えた接続管部４Ａ内の流路を経て分岐管８に流入する。
【００３６】
２）図２に示すように、前記分水栓Ａの上胴４の第１雄ネジ部４ｂに螺合接続されているキャップ６を取り外すとともに、前記止水コマ５の上面に形成されている回転操作凹部５ａにコマ操作軸９の回転操作凸部９ａを係合し、このコマ操作軸９の回転操作によって、上胴４内の待機位置にある止水コマ５を、接続管部４Ａの基端側開口位置よりも上流側の下胴３内の流路まで螺進させ、該下胴３内の流路を遮断する。
【００３７】
３）図３に示すように、前記分水栓Ａにおける下胴３以外の構成部材、つまり、上胴４及び分岐管８を撤去したのち、前記止水コマ５の回転操作凹部５ａからコマ操作軸９の回転操作凸部９ａを取り外す。
【００３８】
４）図４に示すように、前記分水栓Ａの下胴３における角筒状の回転受け部３ｄに、取外し治具Ｃのコの字状の回転操作部２０を外嵌装着し、この回転操作部２０に螺合されているボルト２２を締め付け側に螺合操作して、取外し治具Ｃの回転操作部２０と下胴３の回転受け部３ｄとを一体回転状態に固定連結する。
【００３９】
５）図５に示すように、前記水道管１に外装された、保護部材Ｂの各分割保護体１１〜１３の連結部１１Ａ〜１３Ａのうち、周方向で隣接する連結部１１Ａ〜１３Ａ同士をボルト１４・ナット１５で締付け固定したとき、各分割保護体１１〜１３のシール材１６が水道管１の外周面１ｂに水密状態にまで圧接され、そのうち、前記保護筒部１０を備えた分割保護体１１側のシール材１６により、前記分水孔２周りにおいて水道管１の外周面１ｂとの間が密封される。
【００４０】
前記護部材Ｂの保護筒部１０の連結鍔部１０Ａに対して、作業用開閉弁Ｄの弁ケース２５の下部に形成された第１連結凹部２６を外嵌装着し、この第１連結凹部２６の複数箇所に螺合されているボルト２７を締め付け側に操作して、該ボルト２９のテーパ面を連結鍔部１０Ａの下面に対して水平方向から係合させることにより、弁ケース２５を連結鍔部１０Ａ側に水密状態で引寄せ固定する。
【００４１】
更に、前記弁ケース２５の上部に形成された第２連結凹部２８に、第１作業用ハウジング１７を載置し、この第２連結凹部２８に螺合されているボルト２９を締め付け側に操作して、該ボルト２９のテーパ面を第１作業用ハウジング１７の下端部に形成された連結鍔部１７Ａの上面に対して水平方向から係合させることにより、第１作業用ハウジング１７を第２連結凹部２８側に水密状態で引寄せ固定する。
【００４２】
また、前記取外し治具Ｃの操作軸２１は、第１作業用ハウジング１７の天井壁部１７ａに対して上下方向に摺動自在並びに回転操作自在に貫通保持させておく。
【００４３】
６）図６に示すように、前記取外し治具Ｃの操作軸２１を緩み側に回転操作して、水道管１の分水孔２から分水栓Ａの下胴３を取り外した後、前記取外し治具Ｃの操作軸２１を引き上げ、取り外した下胴３を開弁操作されている作業用開閉弁Ｄを通して第１作業用ハウジング１７内の上部に取り込む。
【００４４】
７）図７に示すように、作業用開閉弁Ｄを閉弁操作したのち、前記分水栓Ａの下胴３及び取外し治具Ｃを備えた第１作業用ハウジング１７を、前記弁ケース２５の上部に形成された第２連結凹部２８から撤去する。
【００４５】
８）図８に示すように、前記装着治具Ｆの操作軸３６を、第２作業用ハウジング１８の天井壁部１８ａに対して上下方向に摺動自在並びに回転操作自在に貫通保持させ、この装着治具Ｆの操作軸３６の下端部に一体形成された角筒状の回転操作部３７を、防食キャップＥの回転受け部３２Ｄに相対回転不能な状態で外嵌した後、前記回転操作部３７に螺合されている第２固定ネジ３９を締め付け側に操作して、該第２固定ネジ３９のテーパ面を回転受け部３２Ｄの下部段差面３２ｄに対して水平方向から係合させることにより、回転操作部３７を防食キャップＥのキャップ本体３２のアーム部３２Ｃ側に引寄せ固定する。
【００４６】
９）図９に示すように、前記弁ケース２５の上部に形成された第２連結凹部２８に、第２作業用ハウジング１８を載置し、この第２連結凹部２８に螺合されているボルト２９を締め付け側に操作して、該ボルト２９のテーパ面を第２作業用ハウジング１８の下端部に形成された連結鍔部１８Ａの上面に対して水平方向から係合させることにより、第２作業用ハウジング１８を第２連結凹部２８側に水密状態で引寄せ固定する。
【００４７】
１０）図１０に示すように、前記作業用開閉弁Ｄを開弁操作するとともに、前記装着治具Ｆの操作軸３６を下方に摺動操作し、キャップ本体３２の雄ネジ部３２ｂが保護筒部１０の雌ネジ部１０ｂに当接又は所定位置にまで近接したとき、前記装着治具Ｆの操作軸３６を締め付け側に回転操作して、キャップ本体３２の鍔部３２Ｂが前記保護筒部１０の先端に当接するまで、前記キャップ本体３２の雄ネジ部３２ｂを保護筒部１０の雌ネジ部１０ｂに螺合固定する。
【００４８】
この状態では、前記キャップ本体３２の外周面の周溝３２ａに装着されているＯリング３０が、保護筒部１０の内周面１０ａに圧接され、キャップ本体３２の外周面と保護筒部１０の内周面１０ａとの間が密封されていると同時に、前記弾性栓体３１が分水孔２内の所定位置に少し圧縮状態で挿入され、分水孔２の内周面に形成された雌ネジ部１ａ全域を水密状態で被覆するように構成されている。
【００４９】
１１）図１１に示すように、前記回転操作部３７に螺合されている第２固定ネジ３９を緩み側に操作して、該第２固定ネジ３９と回転受け部３２Ｄの下部段差面３２ｄとの係合を解除するとともに、前記第１連結凹部２６の複数箇所に螺合されているボルト２７を緩み側に操作して、該ボルト２７と保護筒部１０の連結鍔部１０Ａの下面との係合を解除し、
前記護部材Ｂの保護筒部１０の連結鍔部１０Ａから作業用開閉弁Ｄの弁ケース２５及び装着治具Ｆを備えた第２作業用ハウジング１８を撤去する。
【００５０】
１２）図１２、図１３に示すように、前記作業用開閉弁Ｄ及び第２作業用ハウジング１８の撤去後に、前記キャップ本体３２の上面周縁部に、緊締手段Ｇの環状押え体４６を当て付け、この環状押え体４６の周方向４箇所から夫々保護筒部１０の連結鍔部１０Ａの外側を通して下方に延出された取付け片４７の固定ネジ４８を締め付け側に螺合操作して、該固定ネジ４８のテーパ面を前記連結鍔部１０Ａの下面に対して水平方向から係合させることにより、防食キャップＥの鍔部３２Ｂを前記保護筒部１０の先端に側に引寄せ固定し、前記保護部材Ｂの保護筒部１０と防食キャップＥとを強固に抜止め固定する。
【００５１】
〔第２実施形態〕
上述の第１実施形態では、前記保護部材Ｂを、水道管１の周方向に沿って脱着自在に固定連結される複数の分割保護体１１〜１３から構成し、そのうちの一つの分割保護体１１に、前記分水栓Ａの下胴３を収納する状態でそれの周りを囲繞可能な保護筒部１０を一体形成したが、図１４に示すように、前記保護筒部１０を備えた一つの分割保護体１１を、水道管１の外周面１ｂの下半側に巻回可能なＵ字状ボルト５０とナット５１とで締付け固定するように構成してもよい。
尚、その他の構成は、第１実施形態で説明した構成と同一であるから、同一の構成箇所には、第１実施形態と同一の番号を付記してそれの説明は省略する。
【００５２】
〔その他の実施形態〕
（１）前記保護部材Ｂとしては、少なくとも分流孔２周りにおいて流体管１の外周面との間を密封した状態で外装固定可能で、且つ、前記分流栓Ａの下胴３を収納する状態でそれの周りを囲繞可能な保護筒部１０を備えたものであれば、如何なる構造のものを採用してもよい。
【００５３】
（２）前記防食キャップＥを前記保護部材Ｂの保護筒部１０に嵌合固定するにあたって、上述の第１実施形態では、前記キャップ本体３２の雄ネジ部３２ｂと保護筒部１０の雌ネジ部１０ｂとを螺合固定したが、前記防食キャップＥと前記保護部材Ｂの保護筒部１０とを爪係止手段やカム式係止手段で嵌合固定してもよい。
【００５４】
（３）上述の第１実施形態では、前記弾性栓体３１を分水孔２内の所定位置に少し圧縮状態で挿入して、分水孔２の内周面に形成された雌ネジ部１ａ全域を水密状態で被覆するように構成したが、前記弾性栓体３１の外周面に雄ネジ部を形成して、この弾性栓体３１を分水孔２の雌ネジ部１ａに少し圧縮状態で螺合してもよい。
要するに、前記防食閉栓部３１としては、流体管１の分流孔２の内周面を被覆することのできるものであれば、如何なる構造のものを採用してもよい。
【図面の簡単な説明】
【００５５】
【図１】本発明の分流栓撤去工法の第１実施形態を示す施工前の断面側面図
【図２】分水栓の下胴側の流路を止水コマで遮断したときの断面側面図
【図３】分水栓の下胴以外を撤去するときの断面側面図
【図４】取外し治具の装着前の分解断面側面図
【図５】作業用開閉弁及び第１作業用ハウジングを固定連結したときの断面側面図
【図６】水道管の分水孔から分水栓の下胴を取り外したときの断面側面図
【図７】第１作業用ハウジングを撤去したときの断面側面図
【図８】第２作業用ハウジングに装着治具及び防食キャップを組付けたときの拡大断面側面図
【図９】第２作業用ハウジングを作業用開閉弁に固定連結したときの断面側面図
【図１０】防食キャップを保護筒部に螺合固定したときの断面側面図
【図１１】作業用開閉弁及び第２作業用ハウジングを撤去したときの断面側面図
【図１２】緊締手段で抜止め固定したときの断面側面図
【図１３】図１２のXIII-XIII線矢視における平面図
【図１４】本発明の分流栓撤去工法の第２実施形態を示す断面側面図
【符号の説明】
【００５６】
Ａ        甲型分水栓（分流栓）
Ｂ        保護部材
Ｃ        取外し治具
Ｄ        作業用開閉弁
Ｅ        防食キャップ
Ｆ        装着治具
Ｇ        緊締手段
１        水道管（流体管）
２        分水孔（分流孔）
３        下胴
４        上胴
４ｆ      分水口（分流口）
５        止水コマ（止流コマ）
１０      保護筒部
１０ｂ    雌ネジ部
１１      分割保護体
１２      分割保護体
１３      分割保護体
１７      第１作業用ハウジング（作業用ハウジング）
１８      第２作業用ハウジング（作業用ハウジング）
３０      Ｏリング（シール材）
３１      防食閉栓部（弾性栓体）
３２ｂ    雄ネジ部
【図１】
0004934006.tif 000002
【図２】
0004934006.tif 000003
【図３】
0004934006.tif 000004
【図４】
0004934006.tif 000005
【図５】
0004934006.tif 000006
【図６】
0004934006.tif 000007
【図７】
0004934006.tif 000008
【図８】
0004934006.tif 000009
【図９】
0004934006.tif 000010
【図１０】
0004934006.tif 000011
【図１１】
0004934006.tif 000012
【図１２】
0004934006.tif 000013
【図１３】
0004934006.tif 000014
【図１４】
0004934006.tif 000015